(57)【要約】【課題】  計測精度を向上できるフィルタホルダを提供する。【解決手段】  ホルダ本体１２０のフィルタ保持部１０の内側に前後に設けられた段部１５、１６の内、段部１６にフィルタサポート１７が嵌合されている。段部１５にはメンブランフィルタ２が前後に金属製及びシリコンゴム製の押さえリング１８、２３で挟んでセットされており、更に、ノズル１３０がホルダ本体１２０に螺合されている。ノズル１３０の後端部内側に突設されたリング状のストッパ部１９により、押さえリング１８がフィルタサポート１７の方向へ押圧される。この際、シリコンゴム製の押さえリング２３が段部１５の表面形状に従って変形するので、メンブランフィルタ２の周縁部とホルダ本体１２０との密着性が向上する。ストッパ部１７に設けた突起２４により、押さえリング１８に対し生じる回転方向の摩擦力が小さくなり、メンブランフィルタがよじれるのが防止される。【選択図】        図５
0003128324.tif 000002
【実用新案登録請求の範囲】
【請求項１】
前後にフィルタ保持部と漏斗状の吐出部を有し、フィルタ保持部の内側に形成された段部にフィルタサポートが嵌められたホルダ本体と、ホルダ本体のフィルタ保持部に着脱自在に螺合するノズルとを備え、ノズルの後端部近くの内側に形成されたリング状のストッパ部により、フィルタサポートの前側にセットされたフィルタの周縁部をフィルタサポートへ押圧させるフィルタホルダにおいて、
フィルタの前側に金属製の押さえリング、後側にゴム製の押さえリングを介装したこと、
を特徴とするフィルタホルダ。
【請求項２】
ノズルの前端に着脱自在なキャップを備えたこと、
を特徴とする請求項１記載のフィルタホルダ。
【請求項３】
ストッパ部の後側端面にリング状の突起を形成したこと、
を特徴とする請求項１記載のフィルタホルダ。
【考案の詳細な説明】
【技術分野】
【０００１】
本考案はフィルタホルダに係り、とくに環境空気を吸引し、アスベスト繊維等の微粒子をフィルタ上に捕集させるのに好適なフィルタホルダに関する。
【背景技術】
【０００２】
空気中に飛散した一定濃度を越えるアスベストを吸い込むと人体に悪影響を及ぼすため、建物の解体現場等でアスベストの濃度計測が行なわれている。アスベストの濃度計測にはメンブランフィルタと呼ばれる平均孔径0.8 μｍ、直径４７ｍｍ（採じん面の直径３５ｍｍ）の白い円形のろ層が用いられ、環境空気を規定流量状態で規定時間（例えば、１０リットル／分で４時間）だけ通過させたときにフィルタ上に捕集されたアスベスト繊維を顕微鏡を用いて計数し、濃度を分析する。図１に従来用いられているアスベスト捕集装置の一構成例を示す。１は前側が開口したオープンフェース型のフィルタホルダであり、内部にメンブランフィルタ２がセットされている。フィルタホルダ１はスタンド３により、床面４から５０〜１５０ｃｍの高さに支持され、吸引パイプ５により吸引ポンプ６と接続されている。吸引パイプ５には圧力計７、流量計８、流量調節弁９などが適宜設けられ、捕集中に作業者が規定流量状態に管理する。
【０００３】
図２にフィルタホルダ１の断面図を示す。フィルタホルダ１は円筒状のフィルタ保持部１０と漏斗状の吐出部１１が前後に一体化されたホルダ本体１２と、該ホルダ本体１２のフィルタ保持部１０に着脱自在に螺合された円筒型のノズル１３から成る。ノズル１３は内径が４７ｍｍより少し大きく前部が開口して吸気口１４を成す。ホルダ本体１２のフィルタ保持部１０の前部には連続する２段の段部１５（立ち上がり部分の直径４７ｍｍ）、段部１６（立ち上がり部分の直径４２ｍｍ）が形成されており、後側の段部１６には多数の通気孔が形成された直径φが４２ｍｍの円盤状のフィルタサポート１７が嵌合されている。前側の段部１５にはメンブランフィルタ２が着脱自在にセットされる。メンブランフィルタ２の前面側は内径３５ｍｍ、外径４７ｍｍの金属製の押さえリング１８を挟んでノズル１３の後端部の内側に突設された内径３５ｍｍのリング状のストッパ部１９によりフィルタサポート１７の方向（図２の右方向）へ押圧されている。ホルダ本体１２の後端の吐出口２０は吸引パイプ５と接続されている。ホルダ本体１２、ノズル１３、フィルタサポート１７はプラスチック製である。
【０００４】
図３はフィルタホルダ１の組み立て方法を示す説明図であり、ホルダ本体１２の段部１６に嵌合されたフィルタサポート１７の上に段部１５に嵌めるようにしてメンブランフィルタ２をセットし、更に押さえリング１８を載せたあと、ノズル１３をホルダ本体１２のフィルタ保持部１０に螺合し、ストッパ部１９により押さえリング１８とメンブランフィルタ２を段部１５へ押圧させる。これにより、メンブランフィルタ２の外周部が密閉されて、吸気口１４から流入した環境空気がメンブランフィルタ２の直径３５ｍｍの採じん面（符号２１参照）に対し垂直な方向に通過する。
【０００５】
図１の如く構成されたアスベスト捕集装置において、吸引ポンプ６を稼働すると、フィルタホルダ１の吸気口１４から環境空気がフィルタホルダ１の内部に流入し、メンブランフィルタ２、フィルタサポート１７を通過して吐出口２０より流出する。この際、メンブランフィルタ２の採じん面２１の上には環境空気中の微粒子が捕集される。流量調節弁９を調節して規定流量状態で規定時間だけ環境空気の吸引を行ったのち、吸引ポンプ６を停止し、フィルタホルダ１からメンブランフィルタ２を取り出し、汚染しないように図示しない保護ケースに入れて分析センタに運び、顕微鏡を用いてアスベスト繊維の濃度計数を行なう。
【０００６】
ところで、上記した従来のフィルタホルダ１では、段部１５が完全に平滑でないため、押さえリング１８により押圧されたメンブランフィルタ２と段部１５との間に隙間が生じてしまう。このため、環境空気がメンブランフィルタ２を通過する際、採じん面２１の外側にも不規則に微粒子が洩れて捕捉されてしまう（図４の符号３０参照）。濃度計測は直径３５ｍｍの採じん面２１の面積を基準に行なわれるため、誤差が生じる問題があった。
【０００７】
【特許文献１】特開平８−２５７３１８号公報
【考案の開示】
【考案が解決しようとする課題】
【０００８】
本考案は上記した従来技術の問題に鑑み、計測精度を向上できるフィルタホルダを提供することを、その目的とする。
【課題を解決するための手段】
【０００９】
請求項１の考案は、前後にフィルタ保持部と漏斗状の吐出部を有し、フィルタ保持部の内側に形成された段部にフィルタサポートが嵌められたホルダ本体と、ホルダ本体のフィルタ保持部に着脱自在に螺合するノズルとを備え、ノズルの後端部近くの内側に形成されたリング状のストッパ部により、フィルタサポートの前側にセットされたフィルタの周縁部をフィルタサポートへ押圧させるフィルタホルダにおいて、フィルタの前側に金属製の押さえリング、後側にゴム製の押さえリングを介装したこと、を特徴としている。
請求項２の考案は、ノズルの前端に着脱自在のキャップを備えたこと、を特徴としている。
請求項３の考案は、ストッパ部の後側端面にリング状の突起を形成したこと、を特徴としている。
【考案の効果】
【００１０】
本考案によれば、フィルタとフィルタサポートとの間にゴム製の押さえリングを介装したので、フィルタの周縁部とホルダ本体との密着性が向上し、微粒子が採じん面の規定の面積からはみ出て捕集される恐れがなくなり、計測精度が向上する。
また、ノズルに着脱自在のキャップを設け、微粒子の捕集時にはノズルから外し、捕集前後にノズルに取り付けることで、フィルタを汚染させずに保管することができる。
また、ノズルに形成したストッパ部の後端面にリング状の突起を設けたので、ノズルをホルダ本体に螺合させたときに金属製の押さえリングに対し生じる回転方向の摩擦が減少し、フィルタがよじれて変形するのを防止できる。
【考案を実施するための最良の形態】
【００１１】
ホルダ本体のフィルタ保持部の内側に前後に設けられた２つの段部の内、後側にフィルタサポートが嵌合されている。前側の段部に直径が４７ｍｍのメンブランフィルタ２が前後に内径３５ｍｍ、外径４７ｍｍの金属製及びシリコンゴム製の押さえリングで挟んでセットされた状態で、ノズルがホルダ本体に螺合されている。ノズルの後端部の内側に突設されたリング状のストッパ部により、２つの押さえリングで挟んだメンブランフィルタがフィルタサポートの方向へ押圧されている。シリコンゴム製の押さえリングが段部の表面形状に従って変形するため、メンブランフィルタの周縁部とホルダ本体との密着性が向上する。更に、ストッパ部の後側端面に設けたリング状の突起により、ノズルをホルダ本体に螺合させたときに金属製の押さえリングに対し生じる回転方向の摩擦が小さくなり、メンブランフィルタがよじれるのが防止される。計測対象の微粒子の捕集前後にノズルに防塵用のキャップを嵌着しておくことで、メンブランフィルタの汚染を防止できる。
【実施例１】
【００１２】
図５は本考案の実施例に係るフィルタホルダの構成を示す断面図である。
フィルタホルダ１Ａは円筒状のフィルタ保持部１０に漏斗状の吐出部１１が前後に一体化されたホルダ本体１２０と、該ホルダ本体１２０のフィルタ保持部１０に着脱自在に螺合された円筒型のノズル１３０から成る。吐出部１１はフィルタ保持部１０から延長された円筒状のカバー部２２の内側に設けられており、吐出口２０の近傍が保護されている。一方、ノズル１３０は内径が４７ｍｍより少し大きく前部が開口して吸気口１４を成す。ホルダ本体１２０のフィルタ保持部１０の前部には連続する２段の段部１５（立ち上がり部分の直径４７ｍｍ）、段部１６（立ち上がり部分の直径４２ｍｍ）が形成されており、後側の段部１６には多数の通気孔が形成された直径が４２ｍｍの円盤状のフィルタサポート１７が嵌合されている。前側の段部１５には直径が４７ｍｍのメンブランフィルタ２が内径３５ｍｍ、外径４７ｍｍのシリコンゴム製の押さえリング２３を挟んで着脱自在にセットされている。メンブランフィルタ２の前面側は内径３５ｍｍ、外径４７ｍｍの金属製の押さえリング１８を挟んでノズル１３０の後端部の内側に突設された内径３５ｍｍのリング状のストッパ部１９によりフィルタサポート１７の方向（図５の右方向）へ押圧されている。ストッパ部１９の後側端面にはリング状の突起２４が設けられており、ノズル１３０をホルダ本体１２０に螺合させたときに金属製の押さえリング１８に対し生じる回転方向の摩擦力が小さくなるように形成されている。２５はノズル１３０の前端に着脱自在に嵌着された防塵用のキャップである。ホルダ本体１２０の後端の吐出口２０は吸引パイプ５と接続されている。ホルダ本体１２０、ノズル１３０、フィルタサポート１７、キャップ２５はプラスチック製である。
【００１３】
図６はフィルタホルダ１Ａの組み立て方法を示す説明図であり、ホルダ本体１２０の段部１６に嵌合されたフイルタサポート１７の上に段部１５に嵌めるようにしてシリコンゴム製の押さえリング２３とメンブランフィルタ２を載せ、更に金属製の押さえリング１８を載せたあと、ノズル１３０をホルダ本体１２０に螺合し、ストッパ部１９の突起２４により押さえリング１６、メンブランフィルタ２、押さえリング２３を段部１５へ押圧させる。これにより、メンブランフィルタ２の周縁部が両側から密閉されて、吸気口１４から流入した環境空気がメンブランフィルタ２の直径３５ｍｍの採じん面２１に対し垂直な方向以外へ洩れるのが防止される。押さえリング２３はシリコンゴム製なので、段部１５の表面の平滑度が悪くても表面の形状に従って自在に変形し、良好に密着する。また、ノズル１３０に形成したストッパ部１９の後端面に設けたリング状の突起２４により、ノズル１３０をホルダ本体１２０に螺合させるときの金属製の押さえリング１８に対し生じる回転方向の摩擦力が減少し、メンブランフィルタ２がよじれるのが防止される。微粒子の捕集時にはノズル１３０からキャップ２５を外し、捕集前と後はキャップ２５を嵌着して蓋をし、メンブレンフィルタ２に余計な微粒子が着くのを防ぐ。
【００１４】
図５、６の如く構成されたフィルタホルダ１Ａによれば、段部１５が完全に平滑でなくても、シリコンゴム製の押さえリング２３が段部１３の表面形状に従って自在に変形するので、メンブランフィルタ２の周縁部とホルダ本体１２０との密着性が向上し、微粒子が採じん面２１の規定面積からはみ出て捕集される恐れがなくなり、計測精度が向上する。
また、ノズル１３０に形成したストッパ部１９の後端面にリング状の突起２４を設けたので、ノズル１３０をホルダ本体１２０に螺合させたときに金属製の押さえリング１８に対し生じる回転方向の摩擦力が減少し、メンブランフィルタ２がよじれて変形するのを防止できる。
また、ノズル１３０に着脱自在のキャップ２５を設け、微粒子の捕集時にはノズル１３０から外し、捕集前後にノズル１３０に取り付けることで、メンブレンフィルタ２を汚染させずに保管することができる。
【産業上の利用可能性】
【００１５】
本考案は、環境空気中のアスベスト繊維等の微粒子を捕集する捕集装置に適用できる。
【図面の簡単な説明】
【００１６】
【図１】従来のアスベスト繊維捕集装置の構成例を示す概略図である。
【図２】図１のフィルタホルダの断面図である。
【図３】図１のフィルタホルダの組み立て図である。
【図４】従来の問題点の説明図である。
【図５】本考案に係るフィルタホルダの断面図である（実施例１）。
【図６】図５のフィルタホルダの組み立て図である。
【符号の説明】
【００１７】
１Ａ  フィルタホルダ
２    メンブランフィルタ
１０  フィルタ保持部
１５、１６  段部
１７  フィルタサポート
１８、２３  押さえリング
１９  ストッパ部
２１  採じん面
２２  カバー部
２４  突起
２５  キャップ
【図１】
0003128324.tif 000003
【図２】
0003128324.tif 000004
【図３】
0003128324.tif 000005
【図４】
0003128324.tif 000006
【図５】
0003128324.tif 000007
【図６】
0003128324.tif 000008